(57)【要約】【課題】  短尺のドレーンを複数本用い、ドレーン同士の連結部分で吸水した水をパイプ内に早期に取り込んで効率良く排水できるようにしたドレーンの連結構造を提供する。【解決手段】  ドレーン１は、シート１ａを排水管２の長さより短くして排水管２の両端部を露出させ、露出した排水管２の端部外周にネジ２ａを形成し、下流側の端部外周のシート１ａ端の近接位置に複数の通水孔２ｂを外周に沿って形成した構造とし、接続具３は、ドレーン１の排水管２の露出端部及びシート１ａの端部を覆うソケット状で、その中央部の内面位置に隣接する排水管２の端部同士を所定間隔に離間させるスペーサ３ａを形成し、同スペーサ３ａの両側の内面位置に排水管２のネジ２ａと螺合するネジ３ｂを形成した。【選択図】図２
2006348605.tif 000002
【特許請求の範囲】
【請求項１】
シートの表面に極狭幅の溝と溝の下端と連通する小径の通水路をその路端がシート端で開口されるように複数本形成し、同シートを排水管の外周に溝の方向が排水管の長手に沿うように巻き付けて構成した地中埋設用のドレーンの為のドレーン同士の接続構造であって、上流側と下流側の各ドレーンの接続部のシートを排水管の長さより短くして排水管の端部を露出し、露出した排水管の端部外周にネジを形成し、排水管の下流側の露出端部外周のシート端の近接位置に通水孔を複数形成し、ドレーン同士を接続する接続具は、ドレーンの排水管の露出端部とシートの端部を覆うソケット状で、その内面に各ドレーンの排水管のネジと螺合するネジを形成した構造とし、各ドレーンを接続具で螺合により接続して上流側のドレーンの水を通水孔を通じて下流側のドレーンの排水管内へ流して排水できるようにしたことを特徴とする、ドレーンの接続構造。
【請求項２】
シートの表面に極狭幅の溝と溝の下端と連通する小径の通水路をその路端がシート端で開口されるように複数本形成し、同シートを排水管の外周に溝の方向が排水管の長手に沿うように巻き付けて構成した地中埋設用のドレーンの為のドレーン同士の接続構造であって、上流側と下流側の各ドレーンの接続部のシートを排水管の長さより短くして排水管の端部を露出し、露出した排水管の端部外周にネジを形成し、排水管の下流側のネジの外周に通水溝を複数形成し、ドレーン同士を接続する接続具は、ドレーンの排水管の露出端部とシートの端部を覆うソケット状で、その中央部の内面位置に隣接して配置される排水管の端部同士を離間状態に保持するスペーサを形成し、同スペーサの両側の内面位置に排水管のネジと螺合するネジを形成し、スペーサの上流側の面を下流向きに傾斜させてシートの通水路の路端を開放した構造とし、各ドレーンを接続具で螺合により接続して上流側のドレーンの水を通水溝を通じて下流側のドレーンの排水管内へ流して排水できるようにしたことを特徴とする、ドレーンの接続構造。
【請求項３】
シートの表面に極狭幅の溝と溝の下端と連通する小径の通水路をその路端がシート端で開口されるように複数本形成し、同シートを排水管の外周に溝の方向が排水管の長手に沿うように巻き付けて構成した地中埋設用のドレーンの為のドレーン同士の接続構造であって、上流側と下流側の各ドレーンの接続部のシートを排水管の長さより短くして排水管の端部を露出し、露出した排水管の端部外周にネジを形成し、排水管の下流側の露出端部外周のシート端の近接位置に通水孔を複数形成し、排水管の下流側のネジの外周に通水溝を複数形成し、ドレーン同士を接続する接続具は、ドレーンの排水管の露出端部とシートの端部を覆うソケット状で、その中央部の内面位置に隣接して配置される排水管の端部同士を離間状態に保持するスペーサを形成し、同スペーサの両側の内面位置に排水管のネジと螺合するネジを形成し、スペーサの上流側の面を下流向きに傾斜させてシートの通水路の路端を開放した構造とし、各ドレーンを接続具で螺合により接続して上流側のドレーンの水を通水孔と通水溝を通じて下流側のドレーンの排水管内へ流して排水できるようにしたことを特徴とする、ドレーンの接続構造。
【請求項４】
接続具をスペーサの部分で折曲させ、ドレーンの方向を変えるようにした、請求項２又は３記載のドレーンの接続構造。
【発明の詳細な説明】
【技術分野】
【０００１】
本発明は、主として地下水の排水に用いられるパイプ状のドレーンに関し、詳しくは排水性を良好にするドレーン同士の接続構造の技術に関する。
【背景技術】
【０００２】
従来、地下水を吸水して外部に排水する地盤の改良に用いられるパイプ状のドレーンがある（例えば特許文献１参照）。この技術は、合成樹脂繊維で構成された多孔性を有する所定長さの筒状のドレーン材単体の複数本を多孔性を有するジョイント材で嵌合連結したもので、ドレーン材単体及びジョイント材のいずれもが多孔性を有しているから、連結部分で透水性が低下することなく排水性を良好にできるものである。
【０００３】
また、軟質の塩化ビニル等からなる厚みを有するシートの表面に幅０．２ｍｍほどの極狭幅の溝と溝の下端と連通する内径２０ｍｍほどの通水孔を一方向に多数本形成し、同シートを排水管の外周に巻き付けたドレーンがあり、毛細管現象で溝から吸水した水を通水孔で保水した状態で一方向へ流して排水できるようにしたものである。
【０００４】
ところで、前記技術では、前者では透水性は良好であるが吸水した水が外部へ漏出し易く排水性に満足できるものではなかった。後者では吸水した水を漏出させずに保水させた状態で排水できるが、排水の距離が長いと通水孔が充満して吸水効果が薄れ、排水性が低下する問題があった。本発明は後者の技術の問題点を解決するために成されたものである。
【特許文献１】特開平７−４８８２４号公報
【発明の開示】
【発明が解決しようとする課題】
【０００５】
本発明が解決しようとする課題は、従来のこれらの問題点を解消し、短尺のドレーンを複数本用い、ドレーン同士の接続部分で水を排水管内に早期に取り込んで効率良く排水できるようにしたドレーンの接続構造を提供することにある。
【課題を解決するための手段】
【０００６】
かかる課題を解決した本発明の構成は、
１）  シートの表面に極狭幅の溝と溝の下端と連通する小径の通水路をその路端がシート端で開口されるように複数本形成し、同シートを排水管の外周に溝の方向が排水管の長手に沿うように巻き付けて構成した地中埋設用のドレーンの為のドレーン同士の接続構造であって、上流側と下流側の各ドレーンの接続部のシートを排水管の長さより短くして排水管の端部を露出し、露出した排水管の端部外周にネジを形成し、排水管の下流側の露出端部外周のシート端の近接位置に通水孔を複数形成し、ドレーン同士を接続する接続具は、ドレーンの排水管の露出端部とシートの端部を覆うソケット状で、その内面に各ドレーンの排水管のネジと螺合するネジを形成した構造とし、各ドレーンを接続具で螺合により接続して上流側のドレーンの水を通水孔を通じて下流側のドレーンの排水管内へ流して排水できるようにしたことを特徴とする、ドレーンの接続構造
２）  シートの表面に極狭幅の溝と溝の下端と連通する小径の通水路をその路端がシート端で開口されるように複数本形成し、同シートを排水管の外周に溝の方向が排水管の長手に沿うように巻き付けて構成した地中埋設用のドレーンの為のドレーン同士の接続構造であって、上流側と下流側の各ドレーンの接続部のシートを排水管の長さより短くして排水管の端部を露出し、露出した排水管の端部外周にネジを形成し、排水管の下流側のネジの外周に通水溝を複数形成し、ドレーン同士を接続する接続具は、ドレーンの排水管の露出端部とシートの端部を覆うソケット状で、その中央部の内面位置に隣接して配置される排水管の端部同士を離間状態に保持するスペーサを形成し、同スペーサの両側の内面位置に排水管のネジと螺合するネジを形成し、スペーサの上流側の面を下流向きに傾斜させてシートの通水路の路端を開放した構造とし、各ドレーンを接続具で螺合により接続して上流側のドレーンの水を通水溝を通じて下流側のドレーンの排水管内へ流して排水できるようにしたことを特徴とする、ドレーンの接続構造
３）  シートの表面に極狭幅の溝と溝の下端と連通する小径の通水路をその路端がシート端で開口されるように複数本形成し、同シートを排水管の外周に溝の方向が排水管の長手に沿うように巻き付けて構成した地中埋設用のドレーンの為のドレーン同士の接続構造であって、上流側と下流側の各ドレーンの接続部のシートを排水管の長さより短くして排水管の端部を露出し、露出した排水管の端部外周にネジを形成し、排水管の下流側の露出端部外周のシート端の近接位置に通水孔を複数形成し、排水管の下流側のネジの外周に通水溝を複数形成し、ドレーン同士を接続する接続具は、ドレーンの排水管の露出端部とシートの端部を覆うソケット状で、その中央部の内面位置に隣接して配置される排水管の端部同士を離間状態に保持するスペーサを形成し、同スペーサの両側の内面位置に排水管のネジと螺合するネジを形成し、スペーサの上流側の面を下流向きに傾斜させてシートの通水路の路端を開放した構造とし、各ドレーンを接続具で螺合により接続して上流側のドレーンの水を通水孔と通水溝を通じて下流側のドレーンの排水管内へ流して排水できるようにしたことを特徴とする、ドレーンの接続構造
４）  接続具をスペーサの部分で折曲させ、ドレーンの方向を変えるようにした、前記２）又は３）記載のドレーンの接続構造
にある。
【発明の効果】
【０００７】
本発明によれば、短尺のドレーンを複数用い、溝から通水路へ取り込んだ水を接続具の箇所でシート端から隣接する排水管内に流すようにしたから、通水路内に水が充満する前に排水管内へ早期に流すことができ、吸水効果を維持して排水性を高めることが可能となる。
【発明を実施するための最良の形態】
【０００８】
本発明では、排水管に形成される通水孔や通水溝は単体又は組み合わせて用いられる。通水溝は、シート端の通水路の路端と位置が合うように形成すると水の流れが円滑になる。接続具はスペーサの部分で折曲すると、接続するドレーンを途中で方向転換でき、障害物を迂回させて埋設できる。以下、本発明の実施例を図面に基づいて具体的に説明する。
【実施例１】
【０００９】
図１は実施例のドレーンの斜視図、図２は実施例のドレーンの縦断面図、図３は図２のＡ−Ａ断面図、図４は図２のＢ−Ｂ断面図である。図中、１はドレーン、１ａはシート、１ｂは溝、１ｃは通水路、２は排水管、２ａはネジ、２ｂは通水孔、２ｃは通水溝、３は接続具、３ａはスペーサ、３ｂはネジ、３ｃは覆い部、４は集水管、Ｇは地盤、Ｗは水である。
【００１０】
本実施例のドレーン１は、図１に示すように厚みを有するシート１ａの表面に水を取り込む０．２ｍｍ幅の溝１ｂと溝１ｂの下端と連通する内径２０ｍｍの通水路１ｃを一方向に多数本形成し、同シート１ａを排水管２の外周に溝１ｂが排水管２の長手方向と同一方向となるように巻き付けてドレーン１とし、複数のドレーン１をその端面同士が間隔をおくようにして接続具３で長尺に連結し、溝１ｂから取り込んだ水を通水路１ｃを通じてシート１ａ端から隣接するドレーン１の排水管２内へ流して排水するようにしている。
【００１１】
ドレーン１は、図２〜４に示すようにシート１ａを排水管２の長さより短くして排水管２の両端部を露出させ、露出した排水管２の端部外周にネジ２ａを形成し、下流側の端部外周のシート１ａ端の近接位置に複数の通水孔２ｂを外周に沿って形成している。下流側のネジ２ａには長手方向に沿って複数の通水溝２ｃも形成して排水性を良好にしている。
【００１２】
接続具３は、ドレーン１の排水管２の露出端部及びシート１ａの端部を覆う覆い部３ｃを備えたソケット状で、その中央部の内面位置に隣接する排水管２の端部同士を離間状態に保持するスペーサ３ａを形成し、同スペーサ３ａの両側の内面位置に排水管２のネジ２ａと螺合するネジ３ｂを形成している。また、スペーサ３ａの上流側の面を下流向きに傾斜させてシート１ａの通水路１ｃの路端を開放している。この長尺に接続したドレーン１を図１に示すように地中に傾斜させて埋設し、下流側のドレーン１の端部を集水管４と接続し、ドレーン１で取り込んだ水Ｗを集水管４に回収して排水する。
【００１３】
本実施例によれば、短尺のドレーン１を複数用い、溝１ｂから通水路１ｃへ取り込んだ水Ｗを接続具３の箇所でシート１ａ端から隣接する排水管２内に流すようにしたから、通水路１ｃ内に水Ｗが充満する前に排水管２内へ早期に流すことができ、吸水効果を維持して排水性を高めることが可能となった。
【００１４】
図５に示すのは、接続具３をスペーサ３ａの部分で折曲し、接続するドレーン１を途中で方向転換できるようにした実施例のドレーンの接続構造の他の例である。図５は実施例の他の例のドレーンの縦断面図である。その他、符号、構成、作用効果は実施例と同じである。
【産業上の利用可能性】
【００１５】
本発明のドレーンの連結構造は、地下水の排水に好ましく利用される。
【図面の簡単な説明】
【００１６】
【図１】実施例のドレーンの斜視図である。
【図２】実施例のドレーンの縦断面図である。
【図３】図２のＡ−Ａ断面図である。
【図４】図２のＢ−Ｂ断面図である。
【図５】実施例の他の例のドレーンの縦断面図である。
【符号の説明】
【００１７】
１  ドレーン
１ａ  シート
１ｂ  溝
１ｃ  通水路
２  排水管
２ａ  ネジ
２ｂ  通水孔
２ｃ  通水溝
３  接続具
３ａ  スペーサ
３ｂ  ネジ
３ｃ  覆い部
４  集水管
Ｇ  地盤
Ｗ  水
【図１】
2006348605.tif 000003
【図２】
2006348605.tif 000004
【図３】
2006348605.tif 000005
【図４】
2006348605.tif 000006
【図５】
2006348605.tif 000007